(57)【特許請求の範囲】
【請求項１】
被着者の頭部に直接被覆し、前記被着者が着用する全頭用かつらを保持し固定するインナーキャップにおいて、
丸編により筒状に編成される筒状編成部で形成され、
前記筒状編成部の一端側に編成される口ゴム部と、
繊維径をナノメートルオーダーとする超微細ファインポリエステルナノファイバーからなる複合糸を用いて丸編で編成される滑り止め部と、
前記滑り止め部と連続して編成され、丸編みによりメッシュ状に編成される支持部とを備えることを特徴とするインナーキャップ。
【請求項２】
請求項１に記載のインナーキャップにおいて、
前記口ゴム部の外表面側が前記超微細ファインポリエステルナノファイバーからなる複合糸を用いて編成され、前記口ゴム部から第１の前記支持部が連続して編成され、当該第１の支持部から前記滑り止め部が連続して編成され、当該滑り止め部から第２の前記支持部が連続して編成されて前記筒状編成部が形成されていることを特徴とするインナーキャップ。
【請求項３】
請求項１に記載のインナーキャップにおいて、
前記口ゴム部の外表面側が前記超微細ファインポリエステルナノファイバーからなる複合糸を用いて編成され、前記口ゴム部から第１の前記滑り止め部が連続して編成され、当該第１の滑り止め部から第１の前記支持部が連続して編成され、当該第１の支持部から第２の前記滑り止め部が連続して編成され、当該第２の滑り止め部から第２の前記支持部が連続して編成され、
前記口ゴム部が編成されている前記筒状編成部の一端側と反対の他端側に編成される前記第２の支持部の先端部が円形状又は扇形状に縫製されていることを特徴とするインナーキャップ。
【請求項４】
請求項１ないし３のいずれかに記載のインナーキャップにおいて、
前記滑り止め部が４コースを１つのサイクルとし、当該４コースの一部のコースが前記超微細ファインポリエステルナノファイバーからなる複合糸を用いて編成され、前記超微細ファインポリエステルナノファイバーからなる複合糸が表に出るように編成されていることを特徴とするインナーキャップ。
【発明の詳細な説明】
【技術分野】
【０００１】
本発明は、被着者の頭部に直接被覆され、かつらの内部に着用されるインナーキャップに関する。
【背景技術】
【０００２】
脱毛が非常に広範囲に亘る人や病気の治療のために毛髪が残っていない人のために、頭全体に着用するための全頭用のかつらが知られている。例えば、特許文献１に示す技術は、頭部全体を覆うかつら本体の内面に、サイズ調整可能なインナーキャップを着脱可能に設け、このインナーキャップの内周面の数箇所に、シリコンゴムシートを取り付けた全かつらとしたものである。
【先行技術文献】
【特許文献】
【０００３】
【特許文献１】特開２００４−３５３１２７号公報
【発明の概要】
【発明が解決しようとする課題】
【０００４】
しかしながら、特許文献１に示す技術は、インナーキャップにかつら本体をファスナで取り付ける構造であるが、被着者の動きに応じて、どうしてもインナーキャップとかつら本体とがズレてしまい、違和感が発生してしまうという課題を有する。【０００５】
本発明は、インナーキャップの表面に繊維径をナノメートルオーダーとする超微細ファインポリエステルナノファイバーからなる複合糸を用いることで、かつらのズレを防止するインナーキャップを提供する。
【課題を解決するための手段】
【０００６】
本発明に係るインナーキャップは、被着者の頭部に直接被覆し、前記被着者が着用する全頭用かつらを保持し固定するインナーキャップにおいて、丸編により筒状に編成される筒状編成部で形成され、前記筒状編成部の一端側に編成される口ゴム部と、繊維径をナノメートルオーダーとする超微細ファインポリエステルナノファイバーからなる複合糸を用いて丸編で編成される滑り止め部と、前記滑り止め部と連続して編成され、丸編みによりメッシュ状に編成される支持部とを備えるものである。【０００７】
このように、本発明に係るインナーキャップにおいては、丸編により筒状に編成される筒状編成部で形成され、前記筒状編成部の一端側に編成される口ゴム部と、繊維径をナノメートルオーダーとする超微細ファインポリエステルナノファイバーからなる複合糸を用いて丸編で編成される滑り止め部と、前記滑り止め部と連続して編成され、丸編みによりメッシュ状に編成される支持部とを備えるため、超微細ファインポリエステルナノファイバーからなる複合糸による摩擦力でかつらの滑りをなくし、ズレを防止することができるという効果を奏する。【０００８】
本発明に係るインナーキャップは、前記口ゴム部の外表面側が前記超微細ファインポリエステルナノファイバーからなる複合糸を用いて編成され、前記口ゴムから第１の前記支持部が連続して編成され、当該第１の支持部から前記滑り止め部が連続して編成され、当該滑り止め部から第２の前記支持部が連続して編成されて前記筒状編成部が形成されているものである。【０００９】
このように、本発明に係るインナーキャップにおいては、前記口ゴム部の外表面側が前記超微細ファインポリエステルナノファイバーからなる複合糸を用いて編成され、前記口ゴムから第１の前記支持部が連続して編成され、当該第１の支持部から前記滑り止め部が連続して編成され、当該滑り止め部から第２の前記支持部が連続して編成されて前記筒状編成部が形成されているため、超微細ファインポリエステルナノファイバーからなる複合糸による摩擦力でかつらの滑りをなくし、ズレを防止することができる。【００１０】
本発明に係るインナーキャップは、前記口ゴム部の外表面側が前記超微細ファインポリエステルナノファイバーからなる複合糸を用いて編成され、前記口ゴムから第１の前記滑り止め部が連続して編成され、当該第１の滑り止め部から第１の前記支持部が連続して編成され、当該第１の支持部から第２の前記滑り止め部が連続して編成され、当該第２の滑り止め部から第２の前記支持部が連続して編成され、前記口ゴムが編成されている前記筒状編成部の一端側と反対の他端側に編成される前記第２の支持部の先端部が円形状又は扇形状に縫製されているものである。【００１１】
このように、本発明に係るインナーキャップにおいては、前記口ゴム部の外表面側が前記超微細ファインポリエステルナノファイバーからなる複合糸を用いて編成され、前記口ゴムから第１の前記滑り止め部が連続して編成され、当該第１の滑り止め部から第１の前記支持部が連続して編成され、当該第１の支持部から第２の前記滑り止め部が連続して編成され、当該第２の滑り止め部から第２の前記支持部が連続して編成され、前記口ゴムが編成されている前記筒状編成部の一端側と反対の他端側に編成される前記第２の支持部の先端部が円形状又は扇形状に縫製されているため、超微細ファインポリエステルナノファイバーからなる複合糸による摩擦力でかつらの滑りをなくし、ズレを防止することができると共に、第２の支持部の先端部が円形状又は扇形状に縫製されていることで、頭にフィットさせて着用することができるという効果を奏する。【００１２】
本発明に係るインナーキャップは、前記滑り止め部が４コースを１つのサイクルとし、当該４コースの一部のコースが前記超微細ファインポリエステルナノファイバーからなる複合糸を用いて編成され、前記超微細ファインポリエステルナノファイバーからなる複合糸が表に出るように編成されているものである。【００１３】
このように、本発明に係るインナーキャップにおいては、前記滑り止め部が４コースを１つのサイクルとし、当該４コースの一部のコースが前記超微細ファインポリエステルナノファイバーからなる複合糸を用いて編成され、前記超微細ファインポリエステルナノファイバーからなる複合糸が表に出るように編成されているため、超微細ファインポリエステルナノファイバーからなる複合糸による摩擦力でかつらの滑りをなくし、ズレを防止することができると共に、コースに応じて異なる材料を用いることで表面に凹凸を設けてより確実にズレを防止することができるという効果を奏する。
【図面の簡単な説明】
【００１４】
【図１】第１の実施形態に係るインナーキャップの構造を示す第１の図である。
【図２】第１口ゴム部の内表面の構造を示す図である。
【図３】第１口ゴム部の外表面の構造を示す図である。
【図４】滑り止め部の構造を示す図である。
【図５】支持部の構造を示す図である。
【図６】第１の実施形態に係るインナーキャップの構造を示す第２の図である。
【図７】第１の実施形態に係る全頭用かつらのかつら本体の模式図である。
【図８】第１の実施形態に係る全頭用かつらのかつら本体を背後から見た場合の模式図である。
【発明を実施するための最良の形態】
【００１５】
以下、本発明の実施の形態を説明する。本発明は多くの異なる形態で実施可能である。また、本実施形態の全体を通して同じ要素には同じ符号を付けている。【００１６】
（本発明の第１の実施形態）
本実施形態に係るインナーキャップについて、図１ないし図６を用いて説明する。図１は、本実施形態に係るインナーキャップの構造を示す第１の図である。図１（Ａ）がインナーキャップの外面側の構造を示し、図１（Ｂ）がインナーキャップの内面側の構造を示している。図１（Ａ）において、インナーキャップ１は、丸編みにより筒状に編成されており、その一端（着用者が着用した際に下方になる側）に伸縮性に優れた第１口ゴム部１１ａと、超微細ファインポリエステルナノファイバーからなる複合糸（以下、超微細繊維という）を用いて編成される滑り止め部１２と、当該滑り止め部１２から連続して丸編みによりメッシュ状に編成される支持部１３（第１支持部１３ａ及び第２支持部１３ｂ）と、第１口ゴム部１１ａと反対の他端部に伸縮性に優れた第２口ゴム部１１ｂとを備える。【００１７】
なお、図１の場合は、第１口ゴム部１１ａから第１支持部１３ａが連続して編成され、第１支持部１３ａから滑り止め部１２が連続して編成され、その滑り止め部１２から第２支持部１３ｂが連続して編成され、さらに、第２支持部１３ｂから第２口ゴム部１１ｂが連続して編成されている構成であるが、滑り止め部１２と支持部１３（第１支持部１３ａ及び第２支持部１３ｂ）とは逆の配置であってもよい。【００１８】
滑り止め部１２には、繊維の直径が７００ナノメートル程度の超微細繊維が用いられており、着用者の頭部に対しては吸水性、吸着性及び肌触りを向上させると共に、皮膚への刺激を軽減する。また、インナーキャップ１の上から着用するかつらに対しては、超微細繊維による表面積の増大により大きな摩擦力を発生させると共に、ナノサイズの凹凸を形成することでさらに大きな摩擦力を発生し、滑りを防止してズレをなくすことができる。【００１９】
また、第１口ゴム部１１ａについては、着用者の頭部と接触する内表面側とかつらが装着される外表面側との２層構造になっており、内表面側はナイロンとポリウレタンにより着用者の頭を適度に締め付けて固着すると共に、外表面側は上記の滑り止め部１２と同様に超微細繊維を用いた編成がなされ、かつらのズレを防止することができる。【００２０】
上記第１口ゴム部１１ａ、滑り止め部１２及び支持部１３の編み方について、図２ないし図５に示す具体的な例を挙げて説明する。本実施形態においては、４コースを１つのサイクルとして丸編みを行うものであり、各コースに用いる素材及び編み目が異なる。図２は、第１口ゴム部１１ａの内表面側の素材及び編み目を示す模式図である。図２（Ａ）に示すように、第１口ゴム部１１ａの内表面側は、１コース及び３コースがナイロン、２コース及び４コースがポリウレタンを素材とする糸で編成されており、図２（Ｂ）、（Ｃ）に示すように、１コースのみ１つの編み目ごとに浮き編み（フロート編み）で編成している。そして、各サイクルごとにフロート編みの編み目が交互になるように編成されている。すなわち、１サイクル目に偶数ウェルの編み目をフロート編みした場合、２サイクル目は奇数ウェルの編み目をフロート編みしている。【００２１】
図３は、第１口ゴム部１１ａの外表面側の素材及び編み目を示す模式図である。図３に示すように、第１口ゴム部１１ａの外表面側は、１コースがナイロン、２コースがポリウレタン、３コース及び４コースが超微細繊維とナイロンを素材とする糸で編成されており、編み目は一般的な平編みとなっている。【００２２】
図４は、滑り止め部１２の素材及び編み目を示す模式図である。図４に示すように、滑り止め部１２は、１コース及び２コースがナイロン、３コース及び４コースが超微細繊維とナイロンを素材とする糸で編成されており、編み目は一般的な平編みとなっている。【００２３】
図５は、支持部１３の素材及び編み目を示す模式図である。図５に示すように、支持部１３は、全てのコースがナイロンを素材とする糸で編成されており、２コースは２つの編み目ごとにタック編みで編成し、４コースは１つの編み目ごとにタック編みで編成している。そして、各サイクルごとに２コース及び４コースのタック編みの編み目が交互になるように編成されている。すなわち、１サイクル目に２コースにおいて３及び４ウェルの編み目をタック編みし、４コースにおいて偶数ウェルの編み目をタック編みした場合、２サイクル目は２コースにおいて１及び２ウェルの編み目をタック編みし、４コースにおいて奇数ウェルの編み目をタック編みしている。このような編成により、支持部１３はメッシュ状に形成されてる。【００２４】
なお、上記各素材及び編み目はあくまで一例であり、他の素材及び編み目の組み合わせで編成することも当然可能である。【００２５】
このように、各コースごとに素材と編み目を調整することで、着用者頭部のフィット感やかつらのズレ防止を向上させることができる。特に、超微細繊維を用いたことによるかつらのズレ防止に加えて、各コースごとに素材や編み目を調整して表面積を拡張しつつ、編み目の凹凸を際立たせることで前後左右の各方向へのかつらのズレ防止を向上さることが可能になる。【００２６】
図６は、本実施形態に係るインナーキャップの構造を示す第２の図である。図６（Ａ）がインナーキャップの外面側の構造を示し、図６（Ｂ）がインナーキャップの内面側の構造を示している。図６（Ａ）において、インナーキャップ１は、図１の場合と同様の構造を有する第１口ゴム部１１ａ、滑り止め部１２及び支持部１３を備えており、第１口ゴム部１１ａが配設される側の他端側が円形又は扇状に縫製されている。【００２７】
図６においては、第１口ゴム部１１ａから連続して第１滑り止め部１２ａが編成され、第１滑り止め部１２ａから連続して第１支持部１３ａが編成され、第１支持部１３ａから連続して第２滑り止め部１２ｂが編成され、さらに、第２滑り止め部１２ｂから連続して第２支持部１３ｂが編成されており、この第２支持部１３ｂの先端部が円形又は扇状に縫製されている。なお、図１の場合と同様に、滑り止め部１２と支持部１３との配置関係は逆であってもよい。【００２８】
図６の場合においても、第１口ゴム部１１ａの外表面側及び滑り止め部１２（第１滑り止め部１２ａ及び第２滑り止め部１２ｂ）には、超微細繊維を用いているため、かつらのズレを防止することができると共に、第２支持部１３ｂの先端部が円形状又は扇形状に縫製されているため、頭にフィットさせて着用することができる。【００２９】
このように、本実施形態に係るインナーキャップは、着用者の着用感を向上させると共に、超微細繊維を用いることによるかつらのズレを防止することができる。また、上記と同様に、各コースごとに素材や編み目を調整して表面積を拡張しつつ、編み目の凹凸を際立たせることで前後左右の各方向へのかつらのズレ防止を向上さることが可能になる。【００３０】
（本発明の第２の実施形態）
以下の本実施形態では、前記第１の実施形態に係るインナーキャップの上から被覆する全頭用かつらについて説明する。本実施形態に係る全頭用かつらについて、図７及び図８を用いて説明する。図７は、本実施形態に係る全頭用かつらのかつら本体の模式図、図８は、本実施形態に係る全頭用かつらのかつら本体を背後から見た場合の模式図である。【００３１】
本実施形態に係る全頭用かつらは、脱毛が非常に広範囲に広がったり、病気の治療のために毛髪が残っていない装着者が着用するためのものであり、インナーキャップ１の上からかつら本体２を被るものである。インナーキャップ１は、上記第１の実施形態で説明したものを用いる。【００３２】
図７のかつら本体２は、インナーキャップ１の上から装着するものであり、表面側には植毛（図示しない）がされている。かつら本体２は、非伸縮性で大きめのメッシュ構造を有し、装着された場合に装着者の前頭部領域４１を覆う第１ベース部２１と、当該第１ベース部２１に接合され、非伸縮性で第１ベース部２１よりも細かいメッシュ構造を有し、装着された場合に、装着者の頭頂部４２近傍を通って一端の側頭部４３から他端の側頭部４４（図示しない）にかけて装着者の頭部上方を覆う第２ベース部２２と、当該第２ベース部２２に接合され、伸縮性のメッシュ構造を有し、装着された場合に、装着者の後頭部領域４５を覆う第３ベース部２３とを有する。【００３３】
第１ベース部２１、第２ベース部２２及び第３ベース部２３は、それぞれメッシュ構造を有しているが、いずれも形状の変化に対して元の形状を再現する程度の硬度を有しており、第２ベース部２２が第１ベース部２１に比べてより硬いメッシュ構造となっている。そして、第３ベース部２３は最も柔らかいメッシュ構造となっている。すなわち、頭部前方側は、形状の変化が小さく傾斜も緩やかであるため、ある程度の硬度を有するメッシュ構造で安定的に装着可能とし、形状の変化が大きく傾斜も急である頭部後方側は、柔らかくして頭部形状に合わせて調整し易いものとなる。【００３４】
第１ベース部２１の前端部には、当該ベースのずれやめくれを防止するために、装着者頭部の周方向に伸縮性を有するずれ防止材２４を備え、第３ベース部２３の後端近傍にも同様に、装着者頭部の周方向に伸縮性を有する調整手段２５を備えており、ずれ防止材２４と調整手段２５とにより、かつら本体２を装着者の頭部に安定して固着させる。また、ずれ防止材２４の領域には植毛がなされておらず、非常に薄く柔らかいメッシュ地で形成され、色は肌色となっている。また、地糸の表面は摩擦抵抗が大きくなっており、肌と未着してずれを防止する。つまり、かつら本体２のずれやめくれを確実に防止しつつ、頭部前方の生え際部分の厚みをなくして、自然な生え際を実現することが可能となるようにずれ防止材２４が形成されている。【００３５】
第２ベース部２２の側頭部４３，４４には、装着者のこめかみからもみ上げ部分のめくれを防止するための保持材２６，２７（保持材２７は図示しない側頭部４４に備えられたものとする）を備えている。【００３６】
第３ベース部２３には、当該第３ベース部２３の伸縮を調整するための調整糸２８（複数本有する場合は、調整糸２８ａ，２８ｂ，２８ｃ，・・・）が織り込まれており、この調整糸２８の長さを調整することで、かつら本体２を装着者の後頭部領域４５の形状に正確に合わせることができる。【００３７】
特に、この調整糸２８は、図７及び図８に示すように、複数本の糸で形成され、当該糸が第３ベース部２３における装着者の頭頂部４２近傍から放射状に広がって織り込まれている。すなわち、このように放射状に広がることで、装着者の頭部径方向（頭頂部４２近傍から襟足部の方向、頭頂部４２近傍から耳上や耳裏あたりの側頭部４３，４４の方向）の伸縮を調整することが可能となる。【００３８】
調整糸２８の頭頂部４２側の一端部２９（２９ａ，２９ｂ，２９ｃ，・・・）は、第３ベース部２３に固定され、他端部３０（３０ａ，３０ｂ，３０ｃ，・・・）は、第３ベース部２３に固定されずフリー状態になっている。すなわち、装着者は、調整糸２８のフリー状態になっている部分を引っ張って第３ベース部２３の縦方向の伸縮を調整することで、特に装着者個人によって多種多様な形状である後頭部領域４５の形状に合わせることが可能となる。つまり、装着者頭部の周方向の調整は、ずれ防止材２４及び調整手段２５により行い、装着者頭部の径方向の調整は、調整糸２８で行うことができるため、かつら本体２を装着者の頭部形状に合わせて異なる方向から微細に調整することが可能となり、かつらの安定感及びフィット感を向上させることができる。【００３９】
また、この調整糸２８は、第３ベース部２３を形成するメッシュの地糸よりも摩擦抵抗が大きいものが用いられる。つまり、装着者がフリー状態の他端部３０を引っ張った場合のメッシュ部分の状態と調整糸２８の状態とを摩擦抵抗により固定することができるため、調整糸を引っ張るだけで調整状態を維持することができる。そうすることで、装着者後方における装着者自身による調整が難しい箇所であっても、調整の操作性を格段に向上させることが可能となる。
【符号の説明】
【００４０】
１  インナーキャップ
２  かつら本体
１１ａ  第１口ゴム部
１１ｂ  第２口ゴム部
１２  滑り止め部
１２ａ  第１滑り止め部
１２ｂ  第２滑り止め部
１３  支持部
１３ａ  第１支持部
１３ｂ  第２支持部
２１  第１ベース部
２２  第２ベース部
２３  第３ベース部
２４  ずれ防止材
２５  調整手段
２６，２７  保持材
２８  調整糸
２９  一端部
３０  他端部
４１  前頭部領域
４２  頭頂部
４３，４４  側頭部
４５  後頭部領域
【図１】
0006494666.tif 000002
【図２】
0006494666.tif 000003
【図３】
0006494666.tif 000004
【図４】
0006494666.tif 000005
【図５】
0006494666.tif 000006
【図６】
0006494666.tif 000007
【図７】
0006494666.tif 000008
【図８】
0006494666.tif 000009